(57)【要約】  【課題】煩雑な操作を行うことなく、移動している自分の現在地を相手端末にリアルタイムに通知することのできる携帯端末を提供する。  【解決手段】  携帯端末１は、携帯端末２とのテレビ電話中に現在地通知指示を受け付けると（Ｓ１：ＹＥＳ）、ＧＰＳ処理部１６を起動して測位を開始し（Ｓ２）、算出した位置情報等に基づいて自機の現在地を示した地図画像を生成し（Ｓ６）、これをテレビ電話用のストリーミングデータに変換して（Ｓ７）、通話相手の端末に遂次送信する（Ｓ８）。【選択図】    図３
2006108959.tif 000002
【特許請求の範囲】
【請求項１】
自機の位置を示した地図画像を更新する更新手段と、
前記更新手段により更新される地図画像を、所定の圧縮フォーマットのストリーミングデータに変換する変換手段と、
前記変換手段により変換されたストリーミングデータを、当該ストリーミングデータを受信して再生する端末に送信する送信手段とを備える
ことを特徴とする携帯端末。
【請求項２】
携帯端末は、テレビ電話機能を備えると共に、更に、
撮像手段と、
指示を受け付ける受付手段とを備え、
前記変換手段は、テレビ電話中に、所定の指示を受け付けるまでは、前記撮像手段により撮像された映像をテレビ電話の圧縮フォーマットのストリーミングデータに遂次変換し、所定の指示を受け付けた後は、当該映像に代えて、前記更新手段により更新される地図画像を前記圧縮フォーマットのストリーミングデータに変換し、
前記送信手段は、前記変換手段により変換されたストリーミングデータを相手端末に送信する
ことを特徴とする請求項１に記載の携帯端末。
【請求項３】
前記変換手段は、前記更新手段により更新される地図画像を前記圧縮フォーマットのストリーミングデータに変換する際に、前記映像変換時よりフレームレートを下げて、１フレームあたりのデータ容量を増やして変換し、
前記送信手段は、一定のビットレートで前記変換手段により変換されたストリーミングデータを相手端末に送信する
ことを特徴とする請求項２に記載の携帯端末。
【請求項４】
前記変換手段は、前記更新手段により更新される地図画像を前記圧縮フォーマットのストリーミングデータに変換する際に、前記映像変換時より１フレームあたりのデータ容量を増やして変換する
ことを特徴とする請求項２に記載の携帯端末。
【請求項５】
前記地図画像の縮尺を拡大又は縮小する指示である縮尺指示をユーザから受け付ける受付手段を更に備え、
前記更新手段は、受け付けた縮尺指示に基づいて地図画像の縮尺を拡大又は縮小して更新する
ことを特徴とする請求項１に記載の携帯端末。
【請求項６】
前記所定の指示を示す指示情報を、テレビ電話の通話相手の端末から受信する受信手段を更に備え、
前記変換手段は、テレビ電話中に前記受信手段により指示情報を受信した場合に、前記生成手段により遂次更新される地図画像を前記ストリーミングデータに変換する
ことを特徴とする請求項２に記載の携帯端末。
【請求項７】
前記受信手段は、更に、地図画像の縮尺を拡大又は縮小する指示を示す縮尺指示情報を、テレビ電話の相手端末から受信し、
前記更新手段は、受信した縮尺指示情報に基づいて地図画像の縮尺を拡大又は縮小して更新する
ことを特徴とする請求項６に記載の携帯端末。
【発明の詳細な説明】
【技術分野】
【０００１】
本発明は、ＧＰＳ（Ｇｌｏｂａｌ  Ｐｏｓｉｔｉｏｎｉｎｇ  Ｓｙｓｔｅｍ）等の位置測位機能を備えた携帯端末に関し、特にその携帯端末の現在地を他の端末に遂次通知する技術に関する。
【背景技術】
【０００２】
現在、ＧＰＳ機能が備わった携帯端末が普及している。
ＧＰＳとは、米国国防省が打ち上げた測地衛星（ＮＡＶＳＴＡＲ：現在、２４個が地球を周回している）のうち、少なくとも３個の衛星から送信された電波（１．２２７６ＧＨｚ／１．５７５４２ＧＨｚ）を受信して、受信機（受信者）の地球上の位置情報（経度／緯度情報）を得るシステムのことである。
【０００３】
一般的に、携帯端末のＧＰＳ機能は、ＧＰＳを利用して取得した位置情報に基づいて、自機の現在地を示した地図画像を生成して、その地図画像を自機に備わるＬＣＤ（Ｌｉｑｕｉｄ  Ｃｒｙｓｔａｌ  Ｄｉｓｐｌａｙ）等の表示部に表示する現在地表示機能のことを指す。また、付加機能として、相手の端末に自分の現在地をメールで通知する現在地通知機能等がある。
【０００４】
現在地表示機能は、位置測位の指示をユーザから受け付けた時に１度だけ測位し、その結果得られる位置情報に基づいて、自機の位置を示した地図画像を１枚（１画面分）表示するタイプのものと、遂次測位して得られる位置情報に基づいて、自機の現在地を示した地図画像を更新して、リアルタイムに現在地を表示するタイプのものがある。
現在地通知機能は、自機の現在地を示した地図画像が用意されているＵＲＬ（Ｕｎｉｆｏｒｍ  Ｒｅｓｏｕｒｃｅ  Ｌｏｃａｔｏｒ）を記載したメール（以下、「現在地メール」と言う。）を、相手端末に送信するタイプのものが一般的である。
【０００５】
現在地通知機能は、例えば、携帯端末のユーザが現在いる場所で相手と待ち合わせをしていて、その相手がその場所をよく知らない場合に利用すれば、効果的である。すなわち、現在地メールを相手に送ることで、その相手は現在地メールからユーザの現在地を示した地図画像を確認し、ルート探索等を行うことで待ち合わせ場所へ辿り着くことができる。
【０００６】
また、下記の特許文献には、ＧＰＳを利用して自分の位置情報を獲得し、位置情報サービスセンターから相手の位置情報を獲得し、地図情報を地図情報データベースから獲得し、両者の位置情報と地図を表示部に表示する携帯通信機器が開示されている。これにより、携帯通信機器のユーザは、自分の位置と相手の位置の関係を認識することができる。
【特許文献１】特開２００２−２６２３３８号公報
【発明の開示】
【発明が解決しようとする課題】
【０００７】
ところで、携帯端末のユーザが、待ち合わせ相手のいる場所に向かっている最中に、現在どの辺りまで自分が来ているのかをその相手に遂次伝えたい場合がある。例えば、初めて会う相手との待ち合わせ時間に遅れそうになっている場合、自分が現在待ち合わせ場所に向かっていてどの辺にいるといった情報を正確に相手に伝えたいと思うことがある。
この場合、例えば、従来の現在地通知機能を利用して、移動している間に何度も現在地メールを相手の端末に送ることで、自分の位置を相手に伝えることもできるが、何度も現在地メールを送信する操作を行うことになり、相手も一々メールを開いて確認しなければならないので、煩雑である。
【０００８】
また、上記特許文献に開示されている携帯通信機器については、相手と自己の位置関係を地図上で把握することができるが、相手と自己のそれぞれの端末に位置測位機能が備わっている必要がある。
そこで本発明は、煩雑な操作を行うことなく、移動している自分の現在地を的確に相手に通知することのできる携帯端末を提供することを目的とする。
【課題を解決するための手段】
【０００９】
上記目的を達成するために、本発明に係る携帯端末は、自機の位置を示した地図画像を更新する更新手段と、前記更新手段により更新される地図画像を、所定の圧縮フォーマットのストリーミングデータに変換する変換手段と、前記変換手段により変換されたストリーミングデータを、当該ストリーミングデータを受信して再生する端末に送信する送信手段とを備えることを特徴とする。
【発明の効果】
【００１０】
上記構成の携帯端末を用いれば、相手が所有する端末に、自分の現在地を更新しながら示す地図画像をストリーミングデータで送信することができるので、現在地メールを何度も送るような煩雑な作業を行うことなく、その相手に移動中の自分の現在地を通知することができる。
また、携帯端末は、テレビ電話機能を備えると共に、更に、撮像手段と、指示を受け付ける受付手段とを備え、前記変換手段は、テレビ電話中に、所定の指示を受け付けるまでは、前記撮像手段により撮像された映像をテレビ電話の圧縮フォーマットのストリーミングデータに遂次変換し、所定の指示を受け付けた後は、当該映像に代えて、前記更新手段により更新される地図画像を前記圧縮フォーマットのストリーミングデータに変換し、前記送信手段は、前記変換手段により変換されたストリーミングデータを、相手端末に送信するとしてもよい。
【００１１】
従来の現在地通知機能の場合、現在地メールを相手の端末に送信しても、その相手が現在地メールの到着に気付かないことがあり、また、送った現在地メールを相手が確認したかどうかまでは、こちらにはわからないので、結局電話で現在地メールを送った旨を相手に伝えることが多かった。しかし上記構成の携帯端末を用いれば、テレビ電話中、自分の顔等の撮影映像の代わりに、自分の現在地を示した地図画像のストリーミングデータを通話相手に送ることができ、コミュニケーションをとりながら、自分の現在地を相手に通知することができる。
【００１２】
また、前記変換手段は、前記更新手段により更新される地図画像を前記圧縮フォーマットのストリーミングデータに変換する際に、前記映像変換時よりフレームレートを下げて、１フレームあたりのデータ容量を増やして変換し、前記送信手段は、一定のビットレートで前記変換手段により変換されたストリーミングデータを相手端末に送信するとしてもよいし、或いは、前記変換手段は、前記更新手段により更新される地図画像を前記圧縮フォーマットのストリーミングデータに変換する際に、前記映像変換時より１フレームあたりのデータ容量を増やして変換してもよい。
【００１３】
この構成により、１フレーム当たりのデータ容量を増やすことができるので、精緻な地図画像を、画質を落とすことなく相手端末に送信することができる。
また、前記地図画像の縮尺を拡大又は縮小する指示である縮尺指示をユーザから受け付ける受付手段を更に備え、前記更新手段は、受け付けた縮尺指示に基づいて地図画像の縮尺を拡大又は縮小して更新するとしてもよい。
【００１４】
この構成により、通話相手がわかりやすい縮尺に変更して地図画像を送ることができる。
また、前記所定の指示を示す指示情報を、テレビ電話の通話相手の端末から受信する受信手段を更に備え、前記変換手段は、テレビ電話中に前記受信手段により指示情報を受信した場合に、前記生成手段により遂次更新される地図画像を前記ストリーミングデータに変換するとしてもよい。
【００１５】
この構成により、通話相手の端末から本携帯端末に所定の指示情報が送信されれば、ユーザの現在地を示した地図画像のストリーミングデータがその通話相手の端末に送信されるので、通話相手は、自分が知りたいと思ったときに本発明の携帯端末ユーザの居所を確認することができる。
また、前記受信手段は、更に、地図画像の縮尺を拡大又は縮小する指示を示す縮尺指示情報を、テレビ電話の相手端末から受信し、前記更新手段は、受信した縮尺指示情報に基づいて地図画像の縮尺を拡大又は縮小して更新するとしてもよい。
【００１６】
この構成により、通話相手は、自分の見やすい縮尺に変更した地図画像のストリーミングデータを本携帯端末から自分の端末に送信させることができる。
【発明を実施するための最良の形態】
【００１７】
以下、本発明の一実施形態について、図面を用いて説明する。
＜１．システム＞
図１は、ＧＰＳ機能を実現する携帯端末システムの構成を示した図である。
携帯端末システム１００は、本発明に係る携帯端末１、携帯端末２、基地局３、基地局４、ネットワーク５、ＧＰＳナビゲーションコンテンツサーバ６、ＧＰＳ衛星７で構成される。
【００１８】
なお、携帯端末１、２、基地局３、４は、それぞれ、同図に示す数に限定されるものではなく、例えば、携帯端末は、数千から数万台存在していてもよい。
基地局３、４は、それぞれ所定のエリア内に存在する携帯端末を管轄し、エリア内の携帯端末と無線接続する。
携帯端末１、２は、いずれもテレビ電話機能を備えた携帯端末である。
【００１９】
ここでいうテレビ電話機能とは、携帯端末に備わるカメラで撮像したユーザの顔等の映像を、テレビ電話用の圧縮フォーマットに変換して、得られたストリーミングデータを通話相手の端末に音声と共に送信し、また、通話相手の端末から送られてきたストリーミングデータを復元した映像を表示部に表示して、お互いが顔を見ながら通話することのできる機能である。
【００２０】
携帯端末１は、テレビ電話機能に加えて更にＧＰＳ機能を備えており、ユーザからＧＰＳ測位指示を受け付けるとＧＰＳ衛星７から送信されている電波を遂次受信して、その測位結果から位置情報を算出する。携帯端末１は、算出された位置情報をＧＰＳナビゲーションコンテンツサーバ６にネットワーク５を介して送信すると、ＧＰＳナビゲーションコンテンツサーバ６から、その位置情報が示す位置を含む所定範囲の地図画像や建物情報、道路情報等、現在地を地図画像で表示するのに必要なデータ（以下、「地図情報」という。）が送られてくる。
【００２１】
携帯端末システム１００に採用されている測位方式は、ＭＳ−Ｂａｓｅｄ方式と呼ばれている半自律型の測位方式であり、ネットワーク５を介してＧＰＳナビゲーションコンテンツサーバ６から地図情報を得るが、最終的な地図画像の加工、地図画像の更新表示等の処理は携帯端末で行う。
ＧＰＳナビゲーションコンテンツサーバ６は、サポートしている範囲（例えば、日本の全土等）の地図画像や建物情報、道路情報等を管理している。携帯端末１から位置情報を受信すると、地図情報を携帯端末１に送信する。
【００２２】
携帯端末１は、ＧＰＳナビゲーションコンテンツサーバ６から受信した地図情報や、ユーザの地図画像の縮尺指示等に基づいて、当該位置情報が示す地図上の位置が表示画面上中央となるように地図画像を加工し、その中央位置に現在地を示すポインタを合成した地図画像を生成し、携帯端末１の表示部に表示する。
＜２．携帯端末１の構成＞
ここで、携帯端末１の機能構成について説明する。図２は、携帯端末１の機能ブロック図である。
【００２３】
携帯端末１は、アンテナ１１、通信部１２、スピーカ１３、カメラ１４、ＧＰＳアンテナ１５、ＧＰＳ処理部１６、制御部１７、表示部１８、記憶部１９、マイク２０、操作部２１、地図画像更新部２２、ストリーミングデータ変換部２３で構成されている。
アンテナ１１は、一般的な携帯電話機に備わるアンテナと同様であり、音声やデータ等を搬送する搬送波の送受を行う。受信した搬送波信号は、通信部１２に送られる。
【００２４】
通信部１２は、アンテナ１１が受信した搬送波信号及び制御部１７から伝送されてきた音声や映像等の圧縮信号に対して、変復調処理、増幅処理、Ａ／Ｄ及びＤ／Ａ変換処理といった、送受信に係る一連の処理を行う機能部であり、一般的な携帯電話機に備わる機能と同様である。
スピーカ１３は、制御部１７から伝送されてきた音声信号や、着信音を出力する。
【００２５】
カメラ１４は、撮影レンズ、ＣＣＤ（Ｃｈａｒｇｅ  Ｃｏｕｐｌｅｄ  Ｄｅｖｉｃｅｓ）等から成り、テレビ電話時又は撮影モード時に起動し、ＣＣＤの受光面に配列されている各受光素子は、撮影レンズを介して入射した光量を電気信号に変換して映像データを生成し、これを制御部１７に伝送する。
ＧＰＳアンテナ１５は、ＧＰＳ衛星７から遂次送信されている電波を受信するアンテナである。受信信号は、ＧＰＳ処理部１６に送られる。
【００２６】
ＧＰＳ処理部１６は、ＧＰＳアンテナ１５から送られてきた受信信号に基づいて、位置情報を算出する。算出した位置情報は制御部１７に伝送される。
制御部１７は、マイクロプロセッサ、ＤＳＰ（Ｄｉｇｉｔａｌ  Ｓｉｇｎａｌ  Ｐｒｏｃｅｓｓｏｒ）等によって構成されており、記憶部１９に記憶されている各種プログラムに従って各機能部の制御を行う。
【００２７】
例えば、ＧＰＳ処理部１６から送られてきた位置情報を通信部１２を介してＧＰＳナビゲーションコンテンツサーバ６に送信して、その応答として送られてくる地図情報を記憶部１９に記憶させる。
表示部１８は、制御部１７の制御に従って、待ち受け画面、地図画像、テレビ電話時に相手から送られてくる相手の顔等の映像を表示する。
【００２８】
記憶部１９は、各種プログラム、データ等を記憶する。
マイク２０は、音声を電気信号に変換して制御部１７に伝送する。
操作部２１は、一般的な携帯電話機に備わる０から９までのテンキーボタンや、オンフックボタン、オフフックボタン等の各種機能ボタンを有し、各種ボタンが押下されることによってユーザから各種指示を受け付ける。例えば、ＧＰＳ処理部１６を起動させて、現在地通知処理を実行させる指示や、地図画像の縮尺を拡大又は縮小する指示等を受け付ける。
【００２９】
地図画像更新部２２は、マイクロプロセッサが記憶部１９に記憶されているＧＰＳ用プログラムに従って動作することにより実現される機能部であり、記憶部１９に記憶された地図情報や、ＧＰＳ処理部１６により算出された位置情報、地図画像の縮尺指示等に基づいて、当該位置情報が示す地図上の位置が表示画面上中央となるように地図画像を加工し、その中央位置に現在地を示すポインタを合成した地図画像を生成する。そして、ユーザが移動することにより算出される位置情報が変わったり、ユーザから縮尺の変更指示を受ければ、地図画像更新部２２は、地図画像を更新する。
【００３０】
ストリーミングデータ変換部２３は、エンコーダであり、カメラ１４により生成された映像データや、地図画像更新部２２により生成された地図画像を制御部１７を介して受け付けて、Ｈ．２６３／ＭＰＥＧ４（Ｍｏｖｉｎｇ  Ｐｉｃｔｕｒｅ  Ｅｘｐｅｒｔｓ  Ｇｒｏｕｐ  ｐｈａｓｅ  ４）の圧縮符号化方式で圧縮符号化する。
Ｈ．２６３は、１９９６年にＩＴＵ（国際電気通信連合）が勧告した、映像の圧縮符号化方式の標準の一つであり、Ｈ．２６１を改良・発展させたものである。
【００３１】
圧縮符号化されたストリーミングデータは、制御部１７の制御によって、一定のビットレートで遂次通話相手の端末に送信される。
＜３．動作＞
次に、携帯端末１を用いて通話相手の携帯端末２との間でテレビ電話をしている際に、携帯端末１のユーザが現在地通知指示を携帯端末１に対して行った場合に行われる現在地通知処理を説明する。
【００３２】
図３は、携帯端末１の現在地通知処理の動作を説明するためのフローチャート図である。
まず、携帯端末１がテレビ電話中に現在地通知指示をユーザから受け付けると（ステップＳ１：ＹＥＳ）、ＧＰＳ処理部１６を起動して位置測位を行う（ステップＳ２）。
ＧＰＳ処理部１６は、位置測位した結果に基づいて位置情報を算出する（ステップＳ３）。
【００３３】
次に、ＧＰＳナビゲーションコンテンツサーバ６から地図情報の取得が必要でなければ、すなわち、既に現在地を示すのに足りる地図情報を取得済みであれば（ステップＳ４：ＮＯ）、ステップＳ６に進む。ＧＰＳナビゲーションコンテンツサーバ６から地図情報の取得が必要であれば（ステップＳ４：ＹＥＳ）、ＧＰＳナビゲーションコンテンツサーバ６に位置情報を送って、その応答として地図情報を取得する（ステップＳ５）。その後ステップＳ６に進む。
【００３４】
ステップＳ６では、地図画像更新部２２が、最新の位置情報が示す地図上の位置が表示画面上中央となるように地図画像を加工して、その中央位置に現在地を示すポインタを合成した地図画像を生成し、更新する。
生成された地図画像は、遂次ストリーミングデータ変換部２３に送られ、Ｈ．２６３／ＭＰＥＧ４の圧縮符号化方式で圧縮符号化したストリーミングデータに変換される（ステップＳ７）。この時の圧縮モードは、画質優先モードが自動的に選択される。
【００３５】
画質優先モードの画像の色数及び画素数は、通常モードのそれより多く、画質優先モードが選択されることで、１フレームあたりのデータ容量は増加する。しかし、フレームレートも同時に下げるので、ビットレートは、通常モードにより変換した映像データを送信していたときのビットレートのままである。
ストリーミングデータ変換部２３にて変換されたストリーミングデータは、制御部１７、通信部１２を介して、通話相手の携帯端末２に遂次送信される（ステップＳ８）。
【００３６】
その後、ユーザから現在地通知終了指示を受け付けると（ステップＳ９：ＹＥＳ）、現在地通知処理を終了し、現在地通知終了指示がなければ（ステップＳ９：ＮＯ）、ステップＳ３に戻る。
ここで、具体的な動作について、携帯端末１の表示部８及び携帯端末２の表示部に表示される画面を用いて説明する。
【００３７】
図４は、携帯端末１の表示部８に表示される画面の推移を示した図であり、図５は、携帯端末２の表示部に表示される画面の推移を示した図である。
携帯端末１のユーザと携帯端末２の通話相手とがテレビ電話を行うと、携帯端末１の表示部８には、図４の画面４０１が表示される。画面４０１は、通話相手映像４１１、ユーザ映像４１２、通話時間４１３、ＭＥＮＵボタン４１４等で構成される。
【００３８】
通話相手映像４１１は、携帯端末２から送られてくるストリーミングデータを復元した映像である。
ユーザ映像４１２は、カメラ１４で撮影した映像である。
通話時間４１３は、通話開始から現在までの経過時間を遂次示す。
一方、この時、通話相手の携帯端末２の表示部（図示せず）には、図５の画面５０１が表示される。
【００３９】
画面５０１は、通話相手映像５１１、ユーザ映像５１２、通話時間５１３、ＭＥＮＵボタン５１４等で構成される。
通話相手映像５１１は、携帯端末１から送られてくるストリーミングデータを復元した映像である。
ユーザ映像５１２は、携帯端末２に備わるカメラ（図示せず）で撮影した映像である。
【００４０】
ここで、携帯端末１のユーザが操作部２１を操作して、ＭＥＮＵボタン４１４を選択すると、表示部１８に表示される画面は、画面４０１から画面４０２に切り替わる。
画面４０２は、通話相手映像４１１、ＭＥＮＵ欄４１５等で構成される。
ＭＥＮＵ欄４１５には、操作部２１のテンキーボタンの１と対応付けられている「現在地通知」、テンキーボタンの２と対応付けられている「キャラクタ置換」の２つの項目が示されている。
【００４１】
「現在地通知」は、ユーザから上述の現在地通知指示を受け付けるための選択項目であり、「キャラクタ置換」は、ユーザの顔等を撮影した映像の代わりにアニメのキャラクタ等を通話相手の携帯端末２に送信する指示を受け付けるための選択項目である。
ここでユーザが、操作部２１のテンキーボタンの１を押下すると、表示部１８に表示される画面は、画面４０２から画面４０３に切り替わる。
【００４２】
なお、現在地通知指示をユーザから受け付けてから地図画像を表示部１８に表示するまでに、ＧＰＳ処理部１６の起動、位置測位、位置情報算出、地図情報取得、地図画像の生成といった各ステップを踏むので、画面４０２から画面４０３に切り替わるまでに数秒程の時間がかかる。
画面４０３は、通話相手映像４１１Ａ、地図画像４１６、縮尺指示ボタン欄４１７等で構成される。
【００４３】
縮尺指示ボタン欄４１７には、操作部２１のテンキーボタンの１と対応付けられている「縮小」、テンキーボタンの２と対応付けられている「拡大」の２つの縮尺指示ボタンが表示されている。
地図画像４１６は、地図画像更新部２２により生成された画像であり、その中央には、ユーザの現在地を示すポインタ４１６Ａが描画されている。
【００４４】
ストリーミングデータ変換部２３は、現在地通知指示を受けるまでは、カメラ１４が撮像したユーザの顔等の映像データを圧縮符号化し、通信部１２は、圧縮符号化された映像データ（ストリーミングデータ）を、通話相手の携帯端末２に遂次送信していたが、現在地通知指示を受け付けることにより、地図画像更新部２２が地図画像を生成すると、ストリーミングデータ変換部２３は、カメラ１４が生成する映像データに代えて地図画像を圧縮符号化し、通信部１２は、圧縮符号化された地図画像（ストリーミングデータ）を、通話相手の携帯端末２に遂次送信する。
【００４５】
図５の画面５０２は、携帯端末１から送信された地図画像（ストリーミングデータ）を携帯端末２が受信し、復元された地図画像を携帯端末２の表示部に表示した画面の一例である。
画面５０２は、ユーザ映像５１２、地図画像５１５、通話時間５１３、ＭＥＮＵボタン５１４等で構成される。
【００４６】
地図画像５１５は、携帯端末１の表示部１８に表示される地図画像４１６と同じであり、地図画像５１５の中央には、携帯端末１の現在地を示すポインタ５１６が描画されている。
ここで、携帯端末１のユーザが、操作部２１のテンキーボタンの２を押下すると、表示部１８に表示される画面は、画面４０３から画面４０４に切り替わる。
【００４７】
画面４０４は、通話相手映像４１１Ａ、地図画像４１８、縮尺指示ボタン欄４１７等で構成され、画面４０３との大きな違いは、縮尺を拡大して地図画像を表示している点である。そして、縮尺が拡大された地図画像には、縮尺が拡大される前の地図画像には示されていなかった建物情報等が示されている。
同じように、通話相手の携帯端末２の表示部も、画面５０２から画面５０３に切り替わる。
【００４８】
画面５０３の地図画像５１５Ａは、携帯端末１の表示部１８に表示される地図画像４１８と同じである。
以上説明したように、携帯端末１を用いれば、携帯端末１のユーザの現在地を示す地図画像のストリームデータを、通話相手の携帯端末２に送信することができるので、通話相手は、携帯端末１のユーザと通話をしながら、当該ユーザの現在地と、動向をリアルタイムに知ることができる。
＜補足＞
なお、本発明は上述の実施の形態に限定されないのはもちろんである。以下のような場合も本発明に含まれる。
（１）上述の実施の形態では、携帯端末１のユーザが操作部２１を操作して、現在地通知指示を携帯端末１に対して行ったが、通話相手の携帯端末２が現在地通知指示を示す指示情報を送信し、これを受信することで携帯端末１は上述の現在地通知処理を行ってもよい。また、地図画像の縮尺についても、通話相手の携帯端末２が縮尺指示を示す指示情報を送信し、これを受信することで携帯端末１は地図画像の縮尺を変更して生成してもよい。このような実施形態を実現するために、例えば、携帯端末１及び２に、現在地通知処理を実現する同じプログラムをインストールしておく事が考えられる。
（２）現在地を示す地図画像のストリーミングデータの送り先は、テレビ電話機能を備えた端末であればよく、例えば、テレビ電話機能付卓上電話機でもよい。
（３）上述の実施の形態では、ストリーミングデータ変換部２３は、Ｈ．２６３／ＭＰＥＧ４の圧縮符号化方式で地図画像等を圧縮符号化していたが、これ以外の圧縮符号化方式、例えば、Ｈ．２６１やＨ．２６４／ＭＰＥＧ４ＡＶＣを用いてもよい。
（４）ＧＰＳ機能は、一般的に、目的地を指定するとその道のりにおいて、「２００ｍ先の交差点を右に曲がります。」等、音声でルートを知らせる音声ガイダンスを行うが、係る音声も通話相手の端末に送信してもよい。
（５）上述の実施の形態では、ストリーミングデータの送信ビットレートは一定として説明したが、可変ビットレートで送信してもよい。この場合、必ずしもフレームレートを下げて変換する必要はない。
（６）上述の実施の形態の携帯端末１は、ＭＳ−Ｂａｓｅｄ方式で測位するものであったが、ＭＳ−Ａｓｉｓｔｅｄ方式（サーバで測位計算を全て行う方式）の携帯端末、Ａｕｔｏｎｏｍｏｕｓ方式（測位計算を全て端末側で行う方式）の携帯端末に本発明を適用してもよい。
（７）上述の実施の形態において説明した現在地通知処理（図３に示したステップ等）を、プログラム実行機能を有する携帯端末に実行させるためのプログラムを、記録媒体に記録し又は各種通信路等を介して、流通させ頒布することができる。
【００４９】
かかる記録媒体には、ＩＣカード、光ディスク、フレキシブルディスク、ＲＯＭ等がある。流通、頒布されたプログラムは、プログラム実行機能、ＧＰＳ機能、テレビ電話機能を備えた携帯端末にインストールされることにより利用に供され、その携帯端末は、そのプログラムを実行することにより、上記実施形態に示した現在地通知処理を実現する。
【産業上の利用可能性】
【００５０】
本発明は、ＧＰＳ等の測位機能とテレビ電話機能を備えた携帯端末に適用することができる。
【図面の簡単な説明】
【００５１】
【図１】ＧＰＳ機能を実現する携帯端末システムの構成を示した図である。
【図２】携帯端末１の機能ブロック図である。
【図３】携帯端末１の現在地通知処理の動作を説明するためのフローチャート図である。
【図４】携帯端末１の表示部８に表示される画面の推移を示した図である。
【図５】携帯端末２の表示部に表示される画面の推移を示した図である。
【符号の説明】
【００５２】
１、２    携帯端末
３、４    基地局
５        ネットワーク
６        ＧＰＳナビゲーションコンテンツサーバ
７        ＧＰＳ衛星
１１      アンテナ
１２      通信部
１３      スピーカ
１４      カメラ
１５      ＧＰＳアンテナ
１６      ＧＰＳ処理部
１７      制御部
１８      表示部
１９      記憶部
２０      マイク
２１      操作部
２２      地図画像更新部
２３      ストリーミングデータ変換部
【図１】
2006108959.tif 000003
【図２】
2006108959.tif 000004
【図３】
2006108959.tif 000005
【図４】
2006108959.tif 000006
【図５】
2006108959.tif 000007